(57)【特許請求の範囲】
【請求項１】
径の異なる中空円筒状のポールが多段に重合され、最内側に配置されるポールの頂部を閉塞して中空円筒状のスペーサ部材が設けられ、該スペーサ部材に係合し該最内側に配置されるポールの内側を挿通した可撓性線を介して多段のポールが付勢されて伸縮可能に設けられ、それぞれのポールの下端部に内側に向けて突設する突起部が絞り加工によって形成され、内側のポールの下端面が外側のポールの該突起部に当接して係止して、順次収縮する構成を含むコーナーポールであって、
該多段のポールを収容する第１の筐体部と、
該第１の筐体部と直交する方向に延設され、該多段ポールを付勢するポール駆動装置を収容する第２の筐体部と、
該第１および第２の筐体部の間に設けられ、上端面が該第１の筐体部の底面となり、前記可撓性線を挿通する貫通孔部が形成された略Ｌ字状の接続部とを有する筐体が設けられ、
更に、該接続部と該多段のポールの下部との間に配置され、該可撓性線をガイドするガイドブッシュと、
該接続部の上端面に設けられ、前記ガイドブッシュの下端面が当接し、該スペーサ部材が該ガイドブッシュに当接するときに生じる衝撃力を緩和するダンパ部材とを有し、
該多段のポールが収縮したとき、該スペーサ部材の下端面が該ガイドブッシュの上端面に当接して収縮が停止するように構成されていることを特徴とするコーナーポール。
【請求項２】
該可撓性線が挿通され、該可撓性線の移動方向を略９０度変更するベント部が設けられ、該ベント部は、収縮したときの該多段ポールの内側に該ベント部の一端が進入するように配置されていることを特徴とする請求項１記載のコーナーポール。
【発明の詳細な説明】
【０００１】
【発明の属する技術分野】
本発明は、コーナーポールに関する。
【０００２】
【従来の技術】
自動車のバンパー等に取り付けられ、車体と障害物との距離を容易に目視によって確認できるようにした、いわゆる、コーナーポールがある。このようなコーナーポールは、車庫入れ時等車体と障害物との距離が近接する場合には便利であるが、通常の走行時にはあまり必要とされないのが実情である。
【０００３】
このため、通常の走行時にはバンパー内に収容して、車庫入れ時等にバンパーから伸長させて目視できるようにコーナーポールを伸縮可能に構成したものがある。この場合、コーナーポールの伸縮操作を電動で車内から行えるようにした電動式のコーナーポール駆動装置が採用されている。また、コーナーポールの先端部には、夜間でもコーナーポールを容易に視認することができるように、照明灯が取り付けられる。
【０００４】
このようなコーナーポールの従来例について、図３〜図６を参照して説明する。
【０００５】
コーナーポール１は、径の異なる筒状のポール２ａ〜２ｍ、２ｎからなる多段筒状の多段ポール２と、照明用の発光素子３と、ラック付きケーブル（可撓性線）４と、ラック付きケーブル４を付勢する駆動装置１１で略構成される。
【０００６】
各ポール２ａ〜２ｍ、２ｎは、例えば、ＳＵＳ、ＳＵＳのＮｉめっき、ＣｕのＮｉめっき等の金属材料で形成され、上端部の先端が内側に折り返されて上係止部５が形成される（図４参照）。一方、ポール２ｎを除く各ポール２ａ〜２ｍについては、各ポール２ａ〜２ｍとは別体の、例えば、各ポール２ａ〜２ｎと同一の材料からなる略半割り円筒状の金属部材６を各ポール２ａ〜２ｍについてそれぞれ２個ずつ準備し、絞り加工によって内側に突設する突起部６ａを形成する。一方、各ポール２ａ〜２ｍそれぞれの下端部の対向する位置に２個の孔部７を形成し、金属部材６の突起部６ａを嵌合することによって、突起部６ａが各ポール２ａ〜２ｍの内側に向けて突出した下係止部とされる。なお、ポール２ｎについては、下端部を直接絞り加工して内側に突設する周回突起部６ｂを形成し、この周回突起部６ｂがポール２ｎの下係止部とされる。
【０００７】
図５に示すように、コーナーポール１の組立状態において、金属部材６は隣り合う内側のポール（例えば、ポール２ａ）と外側のポール（例えば、ポール２ｂ）との間でばね状に撓んで内側のポールと外側のポールを係合する係合部となる。なお、各ポール２ａ〜２ｍの孔部７の上方には外側に向けて周回突起部８が形成されている。コーナーポール１伸長時において、先行して伸長する内側のポールのこの周回突起部８が隣り合う外側のポールの上係止部５に係合し、外側のポールを伸長させる役割を果たす。
【０００８】
ここで、各ポール２ａ〜２ｍは、相互に略半割り円筒状の金属部材６を介して電気的に接続されており、後述する発光素子３を発光させる電源を供給する１つの線としての役割を果たしている。すなわち、各ポール２ａ〜２ｍに設けられた金属部材６は、ポール間の接点部としても機能する。
【０００９】
なお、上記の絞り加工により突起部６ａを形成した金属部材６に代えて、樹脂製のリングを下係止部としてポールに装着する方法も採用されている。しかしながら、この場合、部品点数が増えてコーナーポール１の構成が煩雑になるとともにコーナーポール１が高価となるため、必ずしも好ましくない。
【００１０】
発光素子３は、最小径（最内側）のポール２ａの上部に、樹脂製の保持部９ａを介して取り付けられている。ラック付きケーブル４は、給電線として用いられるワイヤ４ａと、ワイヤを被覆するラック付きの、例えば、ポリアミド樹脂からなる樹脂層４ｂとで構成され、ワイヤ４ａの一端が、例えば、ポリアセタール樹脂製のスペーサ９ｂを介して保持部９ａに固定されるとともに、発光素子３に電気的に接続されている。ラック付きケーブル（ワイヤ）４の他端はポール２ａの内側の空間部１０を挿通して後述する駆動装置１１に導かれる。
【００１１】
多段ポール２を付勢して伸縮するための駆動装置１１は、電動モータ１２と、減速歯車列１３と駆動歯車１４で略構成される。
【００１２】
電動モータ１２に減速歯車列１３が係合し、減速歯車列１３に駆動歯車１４が係合するとともに、駆動歯車１４がラック付きケーブル４のラックに噛合する。また、図示しない発光用回路が設けられており、例えば、一方の線としてのラック付きケーブル）４のワイヤ４ａおよび他方の線として機能する多段ポール２に、それぞれ端子を介して接続される。この場合、発光用回路に接続される１つの線をアースするとともに多段ポール２をアースする構成も用いられる。
【００１３】
多段ポール２および駆動装置１１を収容するために、例えば、樹脂製の筐体１６が設けられている。筐体１６は、駆動装置１１の各部品を収容するための筐体部１５と、筐体部１５のＸ２側端部でＺ１方向に直立した、多段ポール２を収容するための筐体部１７とで構成される。筐体部１５と筐体部１７との間には、貫通孔部１８ｂを有する略Ｌ字状の接続部（ベント部）１８が設けられている。筐体部１７側の接続部１８の端面は筐体部１７の底面１８ａとされる。接続部１８の貫通孔部１８ｂを介して、筐体部１５と筐体部１７との間をラック付きケーブル４が移動可能に設けられている。
【００１４】
上記のように構成されるコーナーポール１は、以下のように動作する。
【００１５】
電動モータ１２が正回転すると、減速歯車列１３を介して駆動歯車１４が図３中矢印Ｍ方向に回転する。駆動歯車１４の回転によって、ラック付きケーブル４が、Ｘ２方向に移動する。ラック付きケーブル４の移動によって、ラック付きケーブル４の端部に係合するポール２ａがＺ１方向に押圧されて筐体部１７から引き出される。ポール２ａが所定の長さ伸長すると、ポール２ａの周回突起部８がその外側のポール２ｂの上係止部５に係止することにより、ポール２ｂが引き出され、以降、各ポール２ｃ〜２ｍが順次引き出され、伸長する。なお、最外側のポール２ｎは、筐体部１７内で僅かに上下動可能であるものの、筐体部１７に常時収容されて、実質的に固定された状態にある。
【００１６】
一方、電動モータ１２を逆回転してラック付きケーブル４がＸ１方向に移動すると、ポール２ａが引きこまれる。ポール２ａが収縮すると、ポール２ａの下端面がポール２ｂの突起部６ａに係止することにより、ポール２ｂが引き込まれ、以降、ポール２ｃ〜２ｍが順次引き込まれ、収縮する。そしてポール２ｍの下端面がポール２ｎの周回突起部６ｂに当接することにより収縮が終了し、各ポール２ａ〜２ｍが筐体１６に収容される。
【００１７】
ところで、多段ポール２伸縮時、ラック付きケーブル４は、接続部１８の貫通孔部１８ｂにガイドされて進行方向（移動方向）が９０度変更される。この接続部１８は、図６（ａ）に示すように、貫通孔部１８ｂが所定の曲率半径ρ１を有する円弧状に略形成されているが、コーナーポール１の高さ寸法（Ｚ１−Ｚ２方向寸法）を抑えるために、上側端部（Ｚ１方向の端部）がカットされて水平端面が形成されており、したがって、貫通孔部１８ｂは、円の全周の１／４の長さの円弧を有するに至っていない。
【００１８】
多段ポール２収縮時においては、ラック付きケーブル４は、孔部１８ｂの曲率半径ρ１を有する部位（図６（ａ）中矢印Ａ１）に摺接して、倣う。一方、各ポール２ａ〜２ｍが積み重なって形成される各ポール２ａ〜２ｍの下端部の略円錐状の空間部Ｓ１においては、ラック付きケーブル４は、この空間部の壁部（各ポール２ａ〜２ｍの下端面の連接部。矢印Ａ２）に倣う。このため、ラック付きケーブル４は、貫通孔部１８ｂと空間部Ｓ１との接続箇所（矢印Ａ３）において急に曲がり、屈折した状態で摺接する。
【００１９】
これに対して、図６（ｂ）に示すように、コーナーポール１伸長時においては、ラック付きケーブル４は、貫通孔部１８ｂの下側（図６（ｂ）中矢印Ａ４）に摺接して、すなわち、接続部１８所定の曲率半径ρ２に倣うが、貫通孔部１８ｂよりも径が大きい空間部Ｓ１においては、ラック付きケーブル４は、略所定の曲率半径ρ２のままで上方に延伸し（矢印Ａ５）、その後ポール２Ａの内壁に当接した後（矢印Ａ６）、方向を上方、内向きに変える。
【００２０】
【発明が解決しようとする課題】
上記のように構成される従来のコーナーポール１は、各ポール２ａ〜２ｍの上係止部５については上端部が折り返された強固な構造であるため、伸縮操作を繰り返しても特段の問題はない。また、ポール２ｎについても、下係止部は周回突起部６ｂであるため、同様に特段の問題はない。しかしながら、各ポール２ａ〜２ｍの下係止部については、強度的にやや脆弱な構造である。
【００２１】
多段ポール２収縮時において、最内側のポール２ａから順次収縮した後、最外側のポール２ｎの周回突起部６ｂに、下降するその内側のポール２ｍの下端面が当接して収縮を停止するとき、衝撃力が各ポール２ａ〜２ｍの突起部６ａおよびポール２ｎの周回突起部６ｂにかかる。そして、伸縮操作を繰り返すと、各ポール２ａ〜２ｍの突起部６ａが変形し、あるいは損傷する不具合が発生し、多段ポール２の安定した伸縮操作を阻害するおそれがある。突起部６ａが絞り加工により形成された上記の従来例では、突起部６ａの強度が比較的低いため、この不具合がより顕著に起こり得る。
【００２２】
なお、コーナーポール１が収縮する途中において、隣り合うポール間の下端部と突起部６ａが当接するときにも、一定の力が突起部６ａに作用するが、この力は収縮を停止するときに各ポールに作用する上記の衝撃力に比較すると軽微であり、大きな問題とはならない。
【００２３】
本発明は、上記の課題に鑑みてなされたものであり、多段ポールの各ポールを相互に係止する係止部の変形、損傷のおそれが少なく、安定した多段ポールの伸縮操作を行うことができるコーナーポールを提供することを主な目的とする。
【００２４】
【課題を解決するための手段】
本発明に係るコーナーポールは、径の異なる中空円筒状のポールが多段に重合され、最内側に配置されるポールの頂部を閉塞して中空円筒状のスペーサ部材が設けられ、該スペーサ部材に係合し該最内側に配置されるポールの内側を挿通した可撓性線を介して多段のポールが付勢されて伸縮可能に設けられ、それぞれのポールの下端部に内側に向けて突設する突起部が絞り加工によって形成され、内側のポールの下端面が外側のポールの該突起部に当接して係止して、順次収縮する構成を含むコーナーポールであって、該多段のポールを収容する第１の筐体部と、該第１の筐体部と直交する方向に延設され、該多段ポールを付勢するポール駆動装置を収容する第２の筐体部と、該第１および第２の筐体部の間に設けられ、上端面が該第１の筐体部の底面となり、前記可撓性線を挿通する貫通孔部が形成された略Ｌ字状の接続部とを有する筐体が設けられ、更に、該接続部と該多段のポールの下部との間に配置され、該可撓性線をガイドするガイドブッシュと、該接続部の上端面に設けられ、前記ガイドブッシュの下端面が当接し、該スペーサ部材が該ガイドブッシュに当接するときに生じる衝撃力を緩和するダンパ部材とを有し、該多段のポールが収縮したとき、該スペーサ部材の下端面が該ガイドブッシュの上端面に当接して収縮が停止するように構成されている。
【００２５】
また、本発明に係るコーナーポールは、径の異なる中空円筒状のポールが多段に重合され、最内側に配置されるポールの頂部を閉塞して中空円筒状のスペーサ部材が設けられ、該スペーサ部材に係合し該最内側に配置されるポールの内側を挿通した可撓性線を介して多段のポールが付勢されて伸縮可能に設けられ、それぞれのポールの下端部に内側に向けて突設する突起部が絞り加工によって形成され、内側のポールの下端面が外側のポールの該突起部に当接して係止して、順次収縮する構成を含むコーナーポールであって、該多段のポールを収容する第１の筐体部と、該第１の筐体部と直交する方向に延設され、該多段ポールを付勢するポール駆動装置を収容する第２の筐体部と、該第１および第２の筐体部の間に設けられ、前記可撓性線を挿通する貫通孔部が形成された略Ｌ字状の接続部とを有する筐体が設けられ、該接続部と該多段のポールの下部との間に該可撓性線をガイドするガイドブッシュが配置され、該多段のポールが収縮したとき、該スペーサ部材の下端面が該ガイドブッシュの上端面に当接して収縮が停止するように構成されていることを特徴とする。
【００２６】
これにより、ガイドブッシュの上端面にスペーサ部材の下端面が当接してポールの収縮が停止し、収縮するポールのうちで最外側に位置するポールの下端面がガイドブッシュの上端面に当接することがなく、したがって、収縮時の衝撃力がスペーサ部材およびガイドブッシュのみに受けとめられて、各ポールの下係止部に収縮時の衝撃力が作用することがない。このため、係止部の変形、損傷のおそれが少なく、安定した多段ポールの伸縮操作を行うことができる。
【００２７】
また、本発明に係るコーナーポールは、伸縮可能な多段ポールを、一端が該多段ポールの先端に係合した可撓性線を介して付勢するコーナーポールにおいて、該可撓性線が挿通され、該可撓性線の移動方向を略９０度変更するベント部が設けられ、該ベント部は、収縮したときの該多段ポールの内側に該ベント部の一端が進入するように配置されていることを特徴とする。
【００２８】
ここで、ベント部は、従来の接続部の形状を変えたものであってもよく、また、従来の接続部に、例えば、上記したガイドブッシュ等の別部材を付加したものであってもよい。
【００２９】
これにより、コーナーポールの高さ寸法を従来と略同一に維持しながら、可撓性線が極度に折れ曲がって損傷の原因となったり、円滑な伸縮操作に支障を来す不具合を回避することができる。
【００３０】
なお、本発明に係るコーナーポールにおいて、ストッパ部材自体を弾力性の大きい材料により形成し、あるいは、ストッパ部材とは別にダンパー部材を設けると、多段のポールを収縮するときの衝撃力が一層緩和されてより好適である。特に、可撓性線として樹脂製のラック付きケーブルを用いる場合、ラックの損耗が軽減される。また、本発明に係るコーナーポールによれば、各ポールの係止部の変形、損傷のおそれが少ないため、ポールの電気的接続機能が損なわれることがなく、安定した照明機能を発揮することができる。
【００３１】
【発明の実施の形態】
本発明に係るコーナーポールの好適な実施の形態（以下、本実施の形態例という。）について、図１、図２を参照して、以下に説明する。なお、図１は、半割り方式の筐体の片方を開放して示した多段ポールの部分側面図であり、便宜的に、スペーサ、ガイドブッシュおよびダンパー部材については断面を表示（ハッチング表示）している。
【００３２】
本実施の形態例に係るコーナーポールの基本的な構成とその基本的な作用は前記した従来例と同様であるため、従来例と同一の構成要素については従来例と同一の参照符号を付すとともに、説明を省略する。
【００３３】
図１に示すように、コーナーポール２０は、径の異なる筒状のポール２ａ〜２ｍ、２ｎからなる多段筒状の多段ポール２と、照明用の発光素子３（図３参照）と、ラック付きケーブル（可撓性線）４と、駆動装置１１（図３参照）とで略構成される。また、従来例と同様に、各ポール２ａ〜２ｍ、２ｎは、上端部の先端が内側に折り返されて上係止部５が形成されるとともに（図４参照）、ポール２ｎを除く各ポール２ａ〜２ｍについては、各ポール２ａ〜２ｍとは別体の、略半割り円筒状の金属部材６を絞り加工することによって内側に突設された突起部６ａが下係止部とされている。さらに、ガイドブッシュ２６およびダンパー部材４０が設けられる。これら各部材は筐体１６内に収容される。本実施の形態例において、ガイドブッシュ２６および接続部１８ならびに機能面からみてダンパー部材４０も含めてストッパ部材が構成される。
【００３４】
多段ポール２は、筐体１６の円筒状の筐体部（第１の筐体部）１７に収容され、筐体部１７は、従来例と同じ、Ｌ字形状の接続部（Ｌ字部）１８の貫通孔部１８ｂを介して駆動装置１１（図３参照）を収容する筐体部（第２の筐体部）１５に接続される。接続部１８の上端面は筐体部１７の底面１８ａを構成する。
【００３５】
ラック付きケーブル（可撓性線）４の先端が係止するスペーサ（スペーサ部材）２２は、例えば、従来例と同様にポリアセタール樹脂材料よりなり、図２に示すように、２個の半体２２−１、２２−２で構成される。各半体２２−１、２２−２は、それぞれ広径部２２ｂと広径部２２ｂから延出する狭径部２２ａとで構成される略段差半円筒状であり、内側空間部は広径部２２ｂが円筒状に、狭径部２２ａが略直方体状にそれぞれ形成される。
【００３６】
スペーサ２２組立状態において、狭径部２２ａには縦長のスリット２２ｃからなる開口端が形成される。このスリット２２ｃにラック付きケーブル４のラック２４が係合するようにスペーサ２２を筐体部１７の内部に配置する。スペーサ２２は、広径部２２ｂのほかにさらに狭径部２２ａが延出されている分だけ、広径部２２ｂのみからなる従来例のスペーサ９ｂ（図３参照）よりも図１、図２中ΔＬの分だけ寸法が長くなっている。したがって、多段ポール２収縮時において、スペーサ２２の下端面は、最内側のポール２ａの下端面よりもさらに図１中Ｚ２方向下側の位置まで、ポール２ａの内側に引き込まれる。但し、この場合、狭径部２２ａの下端面が収縮時の多段ポール２の下端面に至らない寸法とされている。なお、狭径部２２ａの外径寸法（図１中Ｘ１−Ｘ２方向寸法）は、多段ポール２収縮状態において各ポール２ａ〜２ｍの突起部６ａの先端が狭径部２２ａに係合しない寸法に形成されている。
【００３７】
ガイドブッシュ２６は、例えば、スペーサ２２と同様にポリアセタール樹脂材料よりなり、図２に示すように、広径部２６ａと狭径部２６ｂかならる略段差円筒状に形成されている。広径部２６ａは、上面２８が内側に向けて皿状に窪んでいる。広径部２６ａの外周には組立の際の係合用の溝等が形成されている。広径部２６ａの内側には、略直方体状の空間部３０が形成されるとともに、空間部３０と直交して連通する空間部３６が形成されている。狭径部２６ｂは、外周に２個の縦溝３４が形成されている。この縦溝３４は空間部３６に連通する。狭径部２６ｂの内側には、空間部３０よりも長尺方向の寸法が短い空間部３２が形成され、空間部３０と連通している。空間部３２の一端は開口３２ａされている。この開口３２ａと対向する空間部３２の部位およびその空間部３２の部位に連なる空間部３０の部位（図２中矢印Ａ７）は、断面形状が前記した接続部１８の部位（矢印Ａ１）と同じ所定の曲率半径ρ１を有するようにテーパ状に形成されている。
【００３８】
ガイドブッシュ２６は、外形寸法が筐体部１７の内径より僅かに小さい寸法に形成される。後述するダンパー部材４０を予め配置した後、同じ曲率半径ρ１を有するガイドブッシュ２６の部位（矢印Ａ７）と接続部の部位（矢印Ａ１）とが同一線上に位置するように位置決めして、筐体部１７に内嵌めされる。このとき、ガイドブッシュ２６の部位（矢印Ａ７）の対向する位置には、広径部２６ａの空間部３０の他端が位置し（図２中矢印Ａ８）、したがって、ガイドブッシュ２６の部位（矢印Ａ７）に対向する部位（矢印Ａ８）は、接続部１８の貫通孔部１８ｂの開口内壁、さらには、貫通孔部１８ｂの延長線１８ｃよりも図１中Ｘ２方向に後退している。また、広径部２６ａの空間部３０の他端の部位（矢印Ａ８）の上部は狭径部２６ｂの空間部３２の開口３２ａに連通している。装置組立状態において、ラック付きケーブル４は、ラック２４をＸ１方向に向けて空間部３０、３２を挿通する。ガイドブッシュ２６の高さ寸法（図１中Ｚ１−Ｚ２方向寸法）は、多段ポール２収縮完了時においてガイドブッシュ２６の上端面がスペーサ２２の下端面に当接する高さに形成されている。したがって、ガイドブッシュ２６は、接続部１８の上端（実際にはダンパー部材４０）にガイドブッシュ２６の下端が接合するとともに、収縮したときの多段ポール２の内側にガイドブッシュ２６の上端が進入するように配置されている。また、ガイドブッシュ２６の高さ寸法および狭径部２６ｂの外径寸法（Ｘ１−Ｘ２方向寸法）は、各ポール２ａ〜２ｍの下端面および突起部６ａがガイドブッシュ２６に係合しない寸法に形成されている。
【００３９】
ダンパー部材４０は、例えば、ゴム材料よりなり、貫通孔部１８ｂおよびガイドブッシュ２６よりも内径の大きなリング状に形成される。ダンパー部材４０は、底面１８ａ（接続部１８の上端面）とガイドブッシュ２６との間に配置される。
【００４０】
上記のように構成される本実施の形態例に係るコーナーポール２０において、多段ポール２収縮時、まず、最内側のポール２ａが下降して（Ｚ２方向に移動）、ポール２ａの下端面が外側のポール２ｂの突起部６ａに当接して係止し、ついで、ポール２ａとともにポール２ｂが下降し、以降、外側のポールが順次収縮する。最後に、実質的に筐体部１７内に収容され固定された最外側のポール２ｎの内側に隣接するポール、すなわち、収縮する（収縮可能な）最外側のポール２ｍは、その下端部を狭径部２６ｂの外周に摺接しあるいは外周とわずかに離間した状態で下降する。このとき、ポール２ｍの下端面がガイドブッシュ２６の広径部２６ａの上端面に当接する前に、スペーサ２２の下端面がガイドブッシュ２６の狭径部２６ｂの上端面に当接して、収縮が停止する。この結果、ポール２ｍの下端面とガイドブッシュ２６の広径部２６ａの上端面との間には所定の間隙Ｃが形成される。
【００４１】
ところで、コーナーポール２０は上記のようにスライド機構を有するため、雨天時に雨水がポール間の隙間から筐体１６内に浸入することを避けることはできない。このため、従来の装置では、雨水はコーナーポール２０下端部と底面１８ａとの間に形成される空間部Ｓ１から貫通孔部１８ｂを経由して筐体部１５に設けられた図示しない水抜き部より水抜きされるように構成されている。これに対して、本実施の形態例では、ガイドブッシュ２６によって空間部Ｓ１の大半が閉塞されるが、浸入した雨水は、ガイドブッシュ２６の上端面の皿状の部分で縦溝３４に集められ、空間部３６を介して貫通孔部１８ｂに導かれるように構成されており、浸入した雨水の排出が阻害されることはない。
【００４２】
本実施の形態例に係るコーナーポール２０によれば、多段ポール２収縮時の最終段階で生じる大きな衝撃力はスペーサ２２およびガイドブッシュ２６に吸収されて各ポール２ａ〜２ｍの突起部６ａには大きな衝撃力が作用しないため、突起部６ａの変形、損傷のおそれが少なく、安定した多段ポール２の伸縮操作を行うことができる。
【００４３】
また、スペーサ２２がガイドブッシュ２６に当接するときに生じる衝撃力は、ダンパー部材４０によって緩和される。
【００４４】
また、接続部１８の部位（矢印Ａ１）の延長線上にあるガイドブッシュ２６の部位（矢印Ａ７）が、接続部１８の部位と同じ曲率半径ρ１に形成されているため、多段ポール２収縮時にラック付きケーブル４は曲率半径ρ１を有するように倣い、図１中破線で示す従来例のように極度に折れ曲がることがない。したがって、ラック付きケーブル４、特に、ラック付きケーブル４のラック２４を損傷することがなく、コーナーポール２０の円滑な伸縮操作に支障を来すおそれがない。
【００４５】
【発明の効果】
本発明に係るコーナーポールによれば、スペーサ、ガイドブッシュ、ダンパー部材、接続部、筐体部を有する構成とされており、接続部の上面が筐体部の底面とされ、筐体部の底面にダンパー部材を収容し、ダンパー部材の上端面にガイドブッシュの下端面が当接し、ガイドブッシュの上端面にスペーサの下端面が当接する構成とすることによって、短縮時の衝撃を吸収する構成とすることにより、収縮時の衝撃力がスペーサ部材およびガイドブッシュのみに受けとめられて、各ポールの下係止部に収縮時の衝撃力が作用することがない。このため、係止部の変形、損傷のおそれが少なく、安定した多段ポールの伸縮操作を行うことができる。
【００４７】
また、本発明に係るコーナーポールによれば、可撓性線が挿通され、可撓性線の移動方向を略９０度変更するベント部が設けられ、ベント部は、収縮したときの多段ポールの内側にベント部の一端が進入するように配置されているため、コーナーポールの高さ寸法を従来と略同一に維持しながら、可撓性線が極度に折れ曲がって損傷の原因となったり、円滑な伸縮操作に支障を来す不具合を回避することができる。
【図面の簡単な説明】
【図１】本実施の形態例に係る多段ポールの筐体を半割りして示す多段ポールの部分側面図である。
【図２】本実施の形態例に係る多段ポールのスペーサ、ガイドブッシュおよびラック付きケーブルの一部のみを取り出して示す組立分解斜視図である。
【図３】従来のコーナーポールの筐体を半割りして示す装置の側面図である。
【図４】１本のポールの側断面図である。
【図５】２本のポールが重合した状態を説明するためのものであり、２本のポールの側断面図である。
【図６】従来のコーナーポールにおけるラック付きケーブルの伸縮挙動を説明するためのものであり、図６（ａ）は収縮時の状態を、筐体を半割りして示す多段ポールの部分側面図であり、図６（ｂ）は伸長時の状態を、筐体を半割りして示す多段ポールの部分側面図である。
【符号の説明】
２  多段ポール
２ａ〜２ｍ、２ｎ  ポール
４  ラック付きケーブル
４ａ  ワイヤ
４ｂ  樹脂層
６  金属部材
６ａ  突起部
６ｂ  周回突起部
１８  接続部
１８ａ  底面
１８ｂ  貫通孔部
２０  コーナーポール
２２  スペーサ
２２ａ、２６ｂ  狭径部
２２ｂ、２６ａ  広径部
２４  ラック
２６  ガイドブッシュ
４０  ダンパー部材
ρ１、ρ２  曲率半径
【図１】
0004309551.tif 000002
【図２】
0004309551.tif 000003
【図３】
0004309551.tif 000004
【図４】
0004309551.tif 000005
【図５】
0004309551.tif 000006
【図６】
0004309551.tif 000007